(57)【特許請求の範囲】
【請求項１】
基台部と、
前記基台部に設けられ、導線が接続された２つの圧着端子が、同心状に重ねられて固定用ネジによって固定される少なくとも１つの接続部とを有する中継端子台において、
前記基台部の上面のうち、前記接続部の両側において立ち上がる短絡防止の側壁と、
前記基台部に設けられ、前記固定用ネジがねじ込まれるナット機能と、
重ねられた前記２つの圧着端子の間に介在され、前記２つの圧着端子を係止するための係止用金属板とを有し、
前記側壁は、前記係止用金属板を、重ねられた前記２つの圧着端子の間に介在されるように係止する係止用溝が形成され、
前記係止用金属板は、前記固定用ネジが挿通される貫通穴と、該貫通穴の外周部に設けられ、前記２つの圧着端子のうち、一方の圧着端子に嵌合する位置決め機能とを有することを特徴とする中継端子台。
【請求項２】
基台部と、
前記基台部に設けられ、導線が接続された２つの圧着端子が、同心状に重ねられて固定用ネジによって固定される少なくとも１つの接続部とを有する中継端子台において、
前記基台部の上面のうち、前記接続部の両側において立ち上がる短絡防止の側壁と、
前記基台部に設けられ、前記固定用ネジがねじ込まれるナット機能と、
重ねられた前記２つの圧着端子のうち、一方の圧着端子と前記ナット機能との間に介在され、前記一方の圧着端子を係止するための第１係止用金属板と、
重ねられた前記２つの圧着端子の間に介在され、前記２つの圧着端子を係止するための第２係止用金属板とを有し、
前記側壁は、前記第１係止用金属板を、前記一方の圧着端子と前記ナット機能との間に介在されるように係止すると共に、前記第２係止用金属板を、重ねられた前記２つの圧着端子の間に介在されるように係止する係止用溝が形成され、
前記第１係止用金属板は、断面Ｌ型に曲げられ、そのうちの１面の略中央部に前記固定用ネジが挿通される貫通穴が設けられ、該貫通穴の外周部に前記一方の圧着端子が嵌合する位置決め機能が設けられ、他面に接続用のリード線挿入穴が設けられ、
前記第２係止用金属板は、前記固定用ネジが挿通される貫通穴が設けられていることを特徴とする中継端子台。
【請求項３】
請求項２記載の中継端子台を備え、
前記中継端子台における前記第１係止用金属板の前記リード線挿入穴にコンデンサのリード端子を接続してなるノイズフィルタ。
【発明の詳細な説明】
【０００１】
【発明が属する技術分野】
本発明は、トランスや電源フィルタなどの電気器具に用いられる、外部配線の圧着端子との接続用の中継端子台、および中継端子台を用いたノイズフィルタに関する。
【０００２】
【従来の技術】
例として箱型トランスや電源用ノイズフィルタなどの電気器具は、ケースの両端に備えられた、外部配線を接続するための図２、あるいは図３に示す中継端子に、内部配線（図示せず）が圧着接続された圧着端子１０がネジ止めされ、性能検査が行われる。前記電気器具は電気機器に装着され、前記中継端子のネジを外してから外部配線の圧着端子を前記ネジで、中継端子に締め付け固定され接続されて電気機器が構成される。
【０００３】
従来の中継端子台は、図２に示すように配線用の導線（図示せず）を圧着接続した、丸型、あるいはＹ型の１対の圧着端子１０を、機械的に固定し電気的に接続させる１対の独立したネジ止め接続部を、複数個並べて絶縁樹脂製の基台１に装着した、電気器具の内部配線と外部配線をそれぞれ別々にネジ止めする独立接続型の中継端子台が用いられている。
【０００４】
このような、電気器具の内部配線と外部配線をそれぞれ別々にネジ止めする、１対の独立したネジ止め接続部を備えた独立接続型の中継端子台は、電気機器に装着後に内部配線はそのままに、直接外部配線を接続することができるが、中継端子台の厚みが厚くなり、また材料を多く用い、さらにネジおよびナット部が２倍必要となるので、コストアップとなっていた。
【０００５】
一方、上記の欠点を改良した図３に示すような、１対の圧着端子１０を同心状に重ねてネジ締めして、機械的に固定し電気的に接続させるネジ止め接続部を複数個並べて絶縁樹脂製の基台１に装着した、電気器具の内部配線と外部配線を一体にネジ止めする一体接続型の中継端子台も用いられている。
【０００６】
このような、電気器具の内部配線と外部配線を一体にネジ止めする一体接続型の中継端子台は、厚みが薄くなり、材料費、及び部材費は低減できるが、電気器具を電気機器に装着して外部配線を接続するときに、中継端子にネジ止めされた内部配線の圧着端子を一旦取り外し、外部配線の圧着端子と同心状に重ねてネジ止めする煩雑な作業が必要であった。
【０００７】
【発明が解決しようとする課題】
本発明は、独立接続型中継端子台の、厚みが厚く、材料費、及び部材費がかかる点を改良した一体接続型の中継端子台の、電気器具を電気機器に装着して外部配線を接続するときに、中継端子にネジ止めされた内部配線の圧着端子を一旦取り外し、外部配線の圧着端子と同心状に重ねてネジ止めする、煩雑な作業を軽減することである。
【０００８】
【課題を解決するための手段】
第１の本発明に係る中継端子台は、基台部と、前記基台部に設けられ、導線が接続された２つの圧着端子が、同心状に重ねられて固定用ネジによって固定される少なくとも１つの接続部とを有する中継端子台において、前記基台部の上面のうち、前記接続部の両側において立ち上がる短絡防止の側壁と、前記基台部に設けられ、前記固定用ネジがねじ込まれるナット機能と、重ねられた前記２つの圧着端子の間に介在され、前記２つの圧着端子を係止するための係止用金属板とを有し、前記側壁は、前記係止用金属板を、重ねられた前記２つの圧着端子の間に介在されるように係止する係止用溝が形成され、前記係止用金属板は、前記固定用ネジが挿通される貫通穴と、該貫通穴の外周部に設けられ、前記２つの圧着端子のうち、一方の圧着端子に嵌合する位置決め機能とを有することを特徴とする。
【０００９】
図１のＡ−Ａ断面図に示すように、端子台の絶縁樹脂製の基台部１にナット機能３と、基台部１の上面より立ち上がる短絡防止の側壁面２に、図５に示す圧着端子の係止用金属板６の係止用溝５と、図５に示す中央部に貫通穴７と該貫通穴の外周部に圧着端子に嵌合する位置決め機能８と、前記図１に示す係止用溝５に固定させる係止部９を備える圧着端子の係止用金属板６とを備える。ネジを締め付け固定する前記ナット機能は、絶縁樹脂製の基台成形時にナットを埋め込んでおくか、または、ナット装着のための友回り防止を施した凹部を形成しておき、組み立て時にナットを前記凹部に装着してもよい。また、圧着端子の位置決め機能として、圧着端子に嵌合する突起部は、圧着端子のネジ締め部の内側、あるいは外側に備えさせることができる。
【００１０】
また、第２の本発明に係る中継端子台は、基台部と、前記基台部に設けられ、導線が接続された２つの圧着端子が、同心状に重ねられて固定用ネジによって固定される少なくとも１つの接続部とを有する中継端子台において、前記基台部の上面のうち、前記接続部の両側において立ち上がる短絡防止の側壁と、前記基台部に設けられ、前記固定用ネジがねじ込まれるナット機能と、重ねられた前記２つの圧着端子のうち、一方の圧着端子と前記ナット機能との間に介在され、前記一方の圧着端子を係止するための第１係止用金属板と、重ねられた前記２つの圧着端子の間に介在され、前記２つの圧着端子を係止するための第２係止用金属板とを有し、前記側壁は、前記第１係止用金属板を、前記一方の圧着端子と前記ナット機能との間に介在されるように係止すると共に、前記第２係止用金属板を、重ねられた前記２つの圧着端子の間に介在されるように係止する係止用溝が形成され、前記第１係止用金属板は、断面Ｌ型に曲げられ、そのうちの１面の略中央部に前記固定用ネジが挿通される貫通穴が設けられ、該貫通穴の外周部に前記一方の圧着端子が嵌合する位置決め機能が設けられ、他面に接続用のリード線挿入穴が設けられ、前記第２係止用金属板は、前記固定用ネジが挿通される貫通穴が設けられていることを特徴とする。
【００１１】
図４のＡ−Ａ断面図に示す基台底部の中空部１２と、その上部基台にナット機能３を備え、基台部上面より立ち上がる短絡防止の側壁面２に、１条の圧着端子係止用金属板の係止用溝５を備えた中継端子台の基台に、図７に示す中央部に貫通穴７と、前記係止用溝に固定させる係止部９を備える圧着端子の係止用金属板６と、図６の平面図と断面図に示す断面Ｌ型に曲げられた１面の略中央部に貫通穴７を備え、該貫通穴の外周部に圧着端子の位置決め機能として、圧着端子に嵌合する突起部８を備え、他面にはんだ付け用のリード線挿入穴１３を備える断面Ｌ型金属板１４とを備える。
【００１２】
また、本発明に係るノイズフィルタは、上述した第２の本発明に係る中継端子台を備え、前記中継端子台における前記第１係止用金属板の前記リード線挿入穴にコンデンサのリード端子を接続して構成される。
【００１３】
図８の断面図に示すように、トロイダルコイル１５の両端の圧着端子を、基台の中空部にコンデンサを配置し、断面Ｌ型金属板のリード接続穴にはんだ付け接続した中継端子台を接続してノイズフィルタを構成する。これにより、従来、コンデンサと中継端子台を並べて配置されていたものが立体的に重ねて配置されて、占有面積が小さくなるため小型なノイズフィルタが構成できる。さらに、機器への搭載時における外部配線の圧着端子の接続も、前記したように内部配線の圧着端子が固定されていて、外れることがないため容易にネジ締め固定することができる。
【００１４】
【発明の実施の形態】
【実施例１】
図５に示す係止用金属板６の中央部を打ち抜いた貫通穴７の外周部を突出させた位置決め機能８に、図４に示すように内部配線（図示せず）が接続された圧着端子１０を同心状に嵌合させて、図４の断面図に示す絶縁樹脂製の基台嵌合部５の係止用溝の底部に圧入し、図５に示す圧着端子用金属板６の係止用溝への係止部９で固定させた。これにより、内部配線が接続された圧着端子の抜けることがなくなり、電気器具を機器に搭載してからの、外部配線の接続が容易となる。
【００１５】
【実施例２】
実施例１と同様に、図６の断面Ｌ型係止用金属板１４の中央部を打ち抜いた貫通穴７の外周部を突出させた位置決め機能８に、内部配線（図示せず）が接続された圧着端子を同心状に嵌合させて、図４の断面図に示す絶縁樹脂製の取り付け穴４を備える基台嵌合部底部に圧入して固定させ、次に金属板の係止用溝５に図７に示す係止用金属板６を差し込み、係止部９で固定させて、内部配線が接続された圧着端子を固定した中継端子台を構成した。
【００１６】
電気器具を機器に搭載後は、外部配線が接続された圧着端子を、前記係止用金属板６や断面Ｌ型係止用金属板１４の位置決め機能としての突出部８に嵌合させて、ネジで友締めして内部配線が接続された圧着端子と接続固定する。このとき、内部配線が接続された圧着端子が固定されているので、従来のように外れることがなく、外部配線が接続された圧着端子の接続固定が容易にできる。
【００１７】
【実施例３】
図９の回路図に示す３相電源用ノイズフィルタを構成するために、図８に示すようにトロイダルコイル１５の両端の圧着端子を、前記断面Ｌ型金属板を装着した中継端子台にボルトで接続固定した。次にコンデンサ１６を基台底部の中空部に収容して前記断面Ｌ型金属板のリード接続穴にコンデンサ端子をネジ止めやはんだ付けして接続したのち、金属板をプレス加工した下ケース１７に収容し、左右の中継端子台を側面よりネジ締め固定して、前記コイル１５の底部にエポキシ樹脂を塗布硬化させ、３相電源用ノイズフィルタを構成した。
【００１８】
【発明の効果】
本発明により、厚みが薄く、材料費、及び部材費が低減できた一体型の中継端子台が形成でき、これを用いた電気器具を、電気機器に装着して外部配線を接続するときに、中継端子にネジ止めされた内部配線の圧着端子を一旦取り外し、外部配線の圧着端子と同心状に重ねてネジ止めする煩雑な作業が軽減した。
【００１９】
【図面の簡単な説明】
【図１】本発明による中継端子台例の基台部の平面図と断面図
【図２】従来の独立型中継端子台の平面図と断面図
【図３】従来の一体型中継端子台の平面図と断面図
【図４】本発明による中継端子の平面図と側面図および断面図
【図５】圧着端子の係止用金属板の平面図と断面図
【図６】断面Ｌ型の圧着端子の係止用金属板の平面図と断面図
【図７】圧着端子の係止用金属板の平面図と断面図
【図８】実施例３の３相電源用ノイズフィルタの平面図と断面図
【図９】実施例３の３相電源用ノイズフィルタの回路図
【符号の説明】
１・・・・中継端子台の基台部
２・・・・中継端子台の側壁
３・・・・ナット
４・・・・中継端子台の取り付け穴部
５・・・・金属板係止用溝
６・・・・圧着端子係止用の金属板
７・・・・貫通穴
８・・・・位置決め用突出部
９・・・・溝への係止部
１０・・・圧着端子
１１・・・固定用ネジ
１２・・・基台中空部
１３・・・リード挿入穴
１４・・・断面Ｌ型金属板
１５・・・コイル
１６・・・コンデンサ
１７・・・下ケース
【図１】
0003766036.tif 000002
【図２】
0003766036.tif 000003
【図３】
0003766036.tif 000004
【図４】
0003766036.tif 000005
【図５】
0003766036.tif 000006
【図６】
0003766036.tif 000007
【図７】
0003766036.tif 000008
【図８】
0003766036.tif 000009
【図９】
0003766036.tif 000010